(57)【特許請求の範囲】
【請求項１】
撮像手段と、
前記撮像手段から出力された画像信号に対して複数種類の特殊効果処理を施して、それぞれ特殊効果処理が施された第１の画像信号と第２の画像信号を出力する特殊効果処理手段と、
前記特殊効果処理手段から出力された第１の画像信号を第１の記録媒体に記録する第１の記録手段と、
前記特殊効果処理手段から出力された第２の画像信号を前記第１の記録媒体とは異なる第２の記録媒体に記録する第２の記録手段と、
前記特殊効果処理手段により前記第１の画像信号に対して施す特殊効果処理の種類と前記第２の画像信号に対して施す特殊効果処理の種類とを、前記複数種類の特殊効果処理よりそれぞれ任意に選択する選択手段とを備えたことを特徴とする撮像装置。
【請求項２】
前記第２の記録手段は、前記第１の記録手段による前記第１の画像信号の記録中に前記第２の画像信号を記録可能であることを特徴とする請求項１記載の撮像装置。
【請求項３】
前記第２の記録手段は、前記第１の記録手段による前記第１の画像信号の記録中における記録開始の指示に応じて前記第２の画像信号を記録することを特徴とする請求項１または２記載の撮像装置。
【発明の詳細な説明】
【０００１】
【発明の属する技術分野】
本発明は、撮像装置に関する。
【０００２】
【従来の技術】
近年、画像信号を磁気テープ等の第１の記録媒体に記録すると同時に任意のタイミングでメモリ等の第２の記録媒体に記録することが可能なビデオカメラ装置が提案されている。これは、例えば、一方で、動画像の記録を行なっている途中でも、記録動作を停止することなく同時に静止画像を、動画像を記録している記録媒体とは別の記録媒体に記録することができる等の利点がある。
【０００３】
【発明が解決しようとする課題】
しかしながら、上述したような２つの記録媒体に同時に画像を記録可能な従来のビデオカメラ装置では、一方にフェードやモノクロ撮影等の特殊効果を用いた撮影／記録を行なっている最中に、それに影響されることのない通常の画像を他方で記録したり、各々に異なった特殊効果処理を施して記録することは不可能であるという問題点があった。
【０００４】
本発明は上述した従来の技術の有するこのような問題点に鑑みてなされたものであり、その目的とするところは、一方で任意の処理、例えば、特殊効果処理を施した撮影／記録を行なっている途中でも、それに影響されることのない通常の画像を、任意のタイミングで同時に記録したり、２つの画像信号各々に異なった任意の処理、例えば、特殊効果処理を施して任意のタイミングで同時に記録することが可能な撮像装置を提供することにある。
【０００５】
【課題を解決するための手段】
上記目的を達成するために請求項１に記載の撮像装置は、撮像手段と、前記撮像手段から出力された画像信号に対して複数種類の特殊効果処理を施して、それぞれ特殊効果処理が施された第１の画像信号と第２の画像信号を出力する特殊効果処理手段と、前記特殊効果処理手段から出力された第１の画像信号を第１の記録媒体に記録する第１の記録手段と、前記特殊効果処理手段から出力された第２の画像信号を前記第１の記録媒体とは異なる第２の記録媒体に記録する第２の記録手段と、前記特殊効果処理手段により前記第１の画像信号に対して施す特殊効果処理の種類と前記第２の画像信号に対して施す特殊効果処理の種類とを、前記複数種類の特殊効果処理よりそれぞれ任意に選択する選択手段とを備えたことを特徴とする。
【０００６】
請求項２に記載の撮像装置は、請求項１に記載の撮像装置において、前記第２の記録手段は、前記第１の記録手段による前記第１の画像信号の記録中に前記第２の画像信号を記録可能であることを特徴とする。
【０００７】
請求項３に記載の撮像装置は、請求項１または２に記載の撮像装置において、前記第２の記録手段は、前記第１の記録手段による前記第１の画像信号の記録中における記録開始の指示に応じて前記第２の画像信号を記録することを特徴とする。
【００２５】
【発明の実施の形態】
以下、本発明の一実施の形態を図面に基づき説明する。
【００２６】
図１は、本実施の形態に係るビデオカメラ装置の構成を示すブロック図である。同図において、１０１はＣＣＤ等の撮像素子、１０２はＣＤＳ回路で、撮像素子１０１から出力された信号からクロック成分を除去し、連続した撮像信号を生成するものである。１０３はＡＧＣ回路で、入力信号の利得を自動的に制御するものである。１０４はＡ／Ｄコンバータで、ＡＧＣ回路１０３からの信号をＡ／Ｄ変換するものである。１０５はカメラ信号処理回路で、Ａ／Ｄコンバータ１０４からの信号を画像として処理するものである。１０６は特殊効果処理手段で、ワイプ処理部１０６ａ、フェード処理部１０６ｂ、モザイク処理部１０６ｃ等を有しており、これらの各処理部１０６ａ乃至１０６ｃによって、前段で処理された画像信号にワイプやフェードやモザイク等の特殊効果処理を施すものである。
【００２７】
１０７は第１セレクタ、１０８は第２セレクタである。これら第１セレクタ１０７及び第２セレクタ１０８は、特殊効果処理手段１０６から出力された信号を任意に切り換えて、それぞれ後述する第１信号処理手段１０９及び第２信号処理手段１１０に入力するものである。１０９は第１信号処理手段、１１０は第２信号処理手段である。第１信号処理手段１０９は、第１セレクタ１０７で選択された信号を記録可能なように圧縮処理等を行ない、第１の画像信号として後述する第１記録手段１１１に入力するものである。また、第２信号処理手段１１０は、第２セレクタ１０８で選択された信号を記録可能なように圧縮処理等を行ない、第２の画像信号として後述する第２記録手段１１２に入力するものである。
【００２８】
１１１は第１記録手段、１１２は第２記録手段である。第１の記録手段１１１は、第１の画像信号を記録媒体に記録するものである。第２の記録手段１１２は、第２の画像信号を記録媒体に記録するものである。１１３は制御手段で、第１、第２の画像信号それぞれに選択された特殊効果処理を施して記録するための動作を制御するものである。１１４は第１トリガ発生手段、１１５は第２トリガ発生手段である。これら第１、第２トリガ発生手段１１４，１１５は、任意のタイミングで、それぞれ第１、第２の画像信号の記録の実行／停止を指示するためのトリガ信号を発生するものである。１１６は選択手段で、本装置の使用者が第１、第２の画像信号に対して特殊効果処理を施すか否か及び施す特殊効果処理の種類を選択するためのものである。
【００２９】
図１において、撮像素子１０１から読み出された信号は、ＣＤＳ回路１０２においてクロック成分が除去されて連続した信号となり、ＡＧＣ回路１０３によりＣＤＳ回路１０２から出力された信号の利得を制御し、Ａ／Ｄコンバータ１０４によりデジタル信号に変換する。その後、カメラ信号処理部１０５により画像信号として処理される。
【００３０】
そして、特殊効果処理手段１０６においてワイプやフェード、モザイク処理等の特殊効果処理が施される。この特殊効果処理手段１０６は、施す効果毎に内部で幾つかのブロックに分かれて処理を行うようになっており、複数種の特殊効果を並行して同時に処理することが可能であり、また、複数種の特殊効果処理手段を直列に並べることにより、幾つかの効果を組み合わせて施すことも可能である。
【００３１】
第１セレクタ１０７及び第２セレクタ１０８には、特殊効果処理手段１０６から特殊効果処理を施された画像が入力されると共に、通常の画像がカメラ信号処理部１０５から入力され、それぞれのセレクタ１０７，１０８は、使用者の選択に応じて任意に入力画像を選択して第１、第２信号処理手段１０９，１１０に対して出力する。
【００３２】
第１信号処理手段１０９及び第２信号処理手段１１０では、信号を記録するために必要な圧縮等の信号処理を行い、それぞれ第１の画像信号として第１記録手段１１１に、第２の画像信号として第２記録手段１１２に対して出力される。これら両信号処理手段１１１，１１２は、それぞれ処理方式の異なるものを用いることも可能であり、例えば、第１の画像信号は動画像、第２の画像信号は静止画像として処理すること等も考えられる。
【００３３】
そして、第１記録手段１１１及び第２記録手段１１２は、それぞれ第１信号処理手段１０９及び第２信号処理手段１１０から出力された信号を後述する使用者が指定した任意のタイミングで記録する。これら両信号記録手段１０９，１１０は、同じ記録媒体を用いたものでも良いし、例えば、一方を磁気テープに、他方をメモリやディスクにといった異なった記録媒体を用いることも考えられる。
【００３４】
使用者は選択手段１１６を用いて第１の画像信号及び第２の画像信号それぞれに対して特殊効果の種類や特殊効果の有無を選択する。このとき、選択手段１１６により選択された内容は図示していない表示手段を用いて表示確認できるようにすることも考えられる。そして、選択手段１１６により選択された内容を示す信号は制御手段１１３に送られる。制御手段１１３は、第１、第２セレクタ１０７，１０８を制御して、選択手段１１６により選択された内容に沿った画像をそれぞれ第１の画像信号、第２の画像信号として選び出す。そして、使用者は第１のトリガ発生手段１１４を操作することにより、第２の画像信号の記録の実行・中止を制御手段１１３に命令し、これに応じて制御手段１１３は、第１記録手段１１１と第２記録手段１１２を制御する。このとき、第１の画像信号が第１記録手段１１１に記録されている最中でも、第２の画像信号を第２記録手段１１２に記録することが可能であり、また、２つのトリガ発生手段１１４，１１５は１つで二通りのトリガを発生させる構成とすることにより、１つにまとめることも考えられる。
【００３５】
次に、上記構成になる本実施の形態に係るビデオカメラ装置の動作を図２のフローチャートに基づき説明する。
【００３６】
図２において、まず、ステップＳ２０１で使用者が選択手段１１６を通じて第１の画像信号及び第２の画像信号を適用する特殊効果の有無及び種類を選択する。次に、ステップＳ２０２で第１、第２セレクタ１０７，１０８を制御することにより、前記ステップＳ２０１において選択した内容に応じた特殊効果画像若しくは通常の画像が選択されて、後段へ出力される。
【００３７】
前記ステップＳ２０２において第１セレクタ１０７側が選択された場合は、ステップＳ２０３で第１トリガ発生手段１１４から記録開始のトリガが発生したか否かを発生するまで判断する。そして、記録開始のトリガが発生すると、ステップＳ２０４で第１記録手段１１１を制御して、第１セレクタ１０７から第１信号処理手段１０９を通じて処理された第１の画像信号の第１記録手段１１１への記録を開始する。
【００３８】
次に、ステップＳ２０５で第１トリガ発生手段１１４から記録終了のトリガが発生したか否かを発生するまで判断する。そして、記録終了のトリガが発生すると、ステップＳ２０６で第１記録手段１１１を制御して、その記録動作を停止した後、前記ステップＳ２０３へ戻って、再び記録開始のトリガの発生を待つ。
【００３９】
一方、前記ステップＳ２０２において第２セレクタ１０８側が選択された場合は、ステップＳ２０７で第２トリガ発生手段１１５から記録開始のトリガが発生したか否かを発生するまで判断する。そして、記録開始のトリガが発生すると、ステップＳ２０８で第２記録手段１１２を制御して、第２セレクタ１０８から第２信号処理手段１１０を通じて処理された第２の画像信号の第２記録手段１１２への記録を開始する。
【００４０】
次に、ステップＳ２０９で第２トリガ発生手段１１５から記録終了のトリガが発生したか否かを発生するまで判断する。そして、記録終了のトリガが発生すると、ステップＳ２１０で第２記録手段１１２を制御して、その記録動作を停止した後、前記ステップＳ２０３へ戻って、再び記録開始のトリガの発生を待つ。
【００４１】
【発明の効果】
以上詳述したように本発明の撮像装置によれば、一方で任意の処理、例えば、特殊効果処理を施した撮影・記録を行っている途中でも、それに影響されることなのない通常の画像を、任意のタイミングで同時に記録したり、二つの画像信号各々に異なった任意の処理、例えば特殊効果を施して、任意のタイミングで同時に記録することが可能である。
【図面の簡単な説明】
【図１】本発明の一実施の形態に係るビデオカメラ装置の内部構成を示すブロック図である。
【図２】本発明の一実施の形態に係るビデオカメラ装置の動作の流れを示すフローチャートである。
【符号の説明】
１０１    撮像素子
１０２    ＣＤＳ回路
１０３    ＡＧＣ回路
１０４    Ａ／Ｄコンバータ
１０５    カメラ信号処理回路
１０６    特殊効果処理手段
１０６ａ  ワイプ処理部
１０６ｂ  フェード処理部
１０６ｃ  モザイク処理部
１０７    第１セレクタ
１０８    第２セレクタ
１０９    第１信号処理手段
１１０    第２信号処理手段
１１１    第１記録手段
１１２    第２信号処理手段
１１３    制御手段
１１４    第１トリガ発生手段
１１５    第２トリガ発生手段
１１６    選択手段
【図１】
0004235342.tif 000002
【図２】
0004235342.tif 000003